(57)【要約】 【課題】  外部より目視される液量パイプ内の液面が極めて鮮明に表示されて、容易に液面を見分けることができる。【解決手段】  液体収容の内容器２と、内容器２を囲んだ外装体４と、外装体４の上端中央に着脱自在に装着し、内容器２の上端開口を開閉する蓋体５と、外装体４の底部を覆う底板６と、内容器２と外装体４との間にあって内容器２内と連通し、外装体４前面より目視できる液量パイプ３９と、液量パイプ３９の後側を覆うカバー部材２４とを備えた液量表示機構１２とを設けた液体容器１に於いて、上記カバー部材２４の少なくとも液量パイプ３９と相対する面を鏡面２５とする構成としている。又、カバー部材２４がミラー鋼板にて形成されている構成としている。【選択図】   図２
2005162284.tif 000002
【特許請求の範囲】
【請求項１】
液体収容の内容器（２）と、内容器（２）を囲んだ外装体（４）と、外装体（４）の上端中央に着脱自在に装着し、内容器（２）の上端開口を開閉する蓋体（５）と、外装体（４）の底部を覆う底板（６）と、内容器（２）と外装体（４）との間にあって内容器（２）内と連通し、外装体（４）前面より目視できる液量パイプ（３９）と、液量パイプ（３９）の後側を覆うカバー部材（２４）とを備えた液量表示機構（１２）とを設けた液体容器（１）に於いて、上記カバー部材（２４）の少なくとも液量パイプ（３９）と相対する面を鏡面（２５）とすることを特徴とした液体容器。
【請求項２】
上記カバー部材（２４）がミラー鋼板にて形成されている請求項１記載の液体容器。
【発明の詳細な説明】
【技術分野】
【０００１】
本発明は、内容器内の液量を外部より目視できる液量表示機構を備えた液体容器に関するものである。
【背景技術】
【０００２】
従来、液体容器は、内容器と内容器を囲む外装体との間に内容器と連通の液量パイプを設け、外装体の前面より液量パイプを目視して、内容器内の液量を確認する液量表示機構を備えた構造のものが実公平５−４２０３０号公報（特許文献１  図１及び図２参照）として存在する。
【０００３】
【特許文献１】実公平５−４２０３０号（図１及び図２）
【０００４】
以下、特許文献１の図１及び図２により従来の液体容器について説明する。
この特許文献１の液体容器にあっては、外ケース１１の上、下部にそれぞれ取付けた肩部材１２及び底部材１３と、外ケース１１内に設けた真空二重瓶製で上下端開口の内容器１４と、肩部材１２の上端中央に装着し、かつエアーポンプ３内蔵の蓋体２と、内容器１４内の液量を外部へ表示するための液量表示装置５とを設けた構成としている。
【０００５】
この液量表示装置５は、外ケース１１の前方と内容器１４との間に設けた小さな外径のガラス管からなる液量表示管５１と、液量表示管５１の下端と内容器１４の下部開口１４ｃとを連通する下部接続管５２と、液量表示管５１の上端と内容器１４の上部開口１４ｂとを連通する上部接続管５３と、液量表示管５１の後面側の配線等を覆うカバー材５５とを設けている。
【発明の開示】
【発明が解決しようとする課題】
【０００６】
ところが、この液体容器では、外ケース１１の小さな覗き窓５９より小さな外径の液量表示管５１を目視すると、覗き窓５９の前に立った人の後ろ側から光が差し込むこととなるために、液量表示管に示された液面が非常に見分け難く、特に通常目視する人は、液体容器の上方より見下ろすこととが多く、小さな覗き窓５９からの液面位置が余計見分け難くなるという問題点があった。
【課題を解決するための手段】
【０００７】
本発明は、液体収容の内容器２と、内容器２を囲んだ外装体４と、外装体４の上端中央に着脱自在に装着し、内容器２の上端開口を開閉する蓋体５と、外装体４の底部を覆う底板６と、内容器２と外装体４との間にあって内容器２内と連通し、外装体４前面より目視できる液量パイプ３９と、液量パイプ３９の後側を覆うカバー部材２４とを備えた液量表示機構１２とを設けた液体容器１に於いて、上記カバー部材２４の少なくとも液量パイプ３９と相対する面を鏡面２５とする構成としている。又、カバー部材２４がミラー鋼板にて形成されている構成としている。
【発明の効果】
【０００８】
本発明は、従来の問題点を解決したものであって、外部より目視される液量パイプ内の液面が極めて鮮明に表示されて、容易に液面を見分けることができる。
【発明を実施するための最良の形態】
【０００９】
液体保温容器１は、上下端開口の内容器２と、内容器２の底部外壁にあって内容器内の液体を温めるヒータ３と、内容器２を囲む外装体４と、外装体４の上端中央に着脱自在に装着し、内容器２の上端開口を開閉する蓋体５と、外装体４内下端に装着し、内容器２を支える底板６と、中央のヒータ３を支え、下部への放熱を遮蔽する金属製の遮蔽板７と、この遮蔽板７と間隔を隔てて外装体４の下部前面を残して外装体下端面を覆う底カバー体８と、底カバー体８に装着し、外装体下部前方との間に空間部２９を有する台座９と、内容器２の下端開口に連通のジョイントパイプ１０に連通し、内容器内の液体を台座９の空間部２９に向けて吐出する吐出機構１１と、内容器内の液量を外装体の前面上下にて表示する液量表示機構１２と、外装体の前面で上部前面より下部前面にあって、吐出機構１１及び液量表示機構１２を覆う前カバー１３とから構成されている。３２は、ジョイントパイプ１０の下端にあって、ジョイントパイプ１０からのドレンを台座９の空間部２９に向けて排出するドレン排出台である。
【００１０】
内容器２は、ガラス製又はステンレス等の金属製の一重容器で有底筒状に形成されており、上端を内容器内に手を入れて掃除しやすいような広口とし、下端を細口として開口している。内容器２は、ガラス製のときには内壁に銀蒸着を施すようにしてもよい。この内容器２の下端細口には、ゴム等の弾性材料からなる中空のジョイントパイプ１０を連通している。
【００１１】
ヒータ３は、内容器２の下端開口周りにリング状にして貼り付けられており、内容器内の液体を温めるだけで、沸騰させるものではない。１５は、サーミスタ等の温度感知器である。
【００１２】
外装体４は、合成樹脂材料にて図２に示すように、内容器２の周側壁を覆う胴部と、内容器２の上端部を覆う肩部とを一体成形しており、上端の中央を段状に下げて、内容器２の上端開口とシールパッキンを介して連通している。この外装体４の上端中央の段状内側壁には、ネジを刻設し後述の蓋体を螺着するようにしている。
【００１３】
外装体４は、内容器２と所定の間隔を隔てており、下部内周壁に適宜の間隔を隔てて後述の底板６を係止する複数の係止片を設けている。
内容器２と外装体４との間の空所１４には、発泡ウレタンを充填して、保温性、耐久性等の向上をはかっている。
【００１４】
蓋体５は、外装体４の段状に刻設されたネジに螺着し、中央を上下に開口する下蓋１６と、下蓋１６の上面を覆い、中央を上下に広い開口とする上蓋１７と、下蓋１６の下端中央より垂下した注水パイプ１８と、注水パイプ１８と連通する漏斗状の液体路を備え、上蓋１７と下蓋１６との間に設けて、操作レバー１９にて回動するガイド板２０と、ガイド板２０に伴って摺動し、液体路を開閉する開閉板２１とを設けている。
【００１５】
この蓋体５は、外装体４の段状内に螺着したままで、操作レバー１９を操作し開閉板２１を移動して開放し、上蓋１７の中央の開口よりガイド板２０の液体路及び下蓋１６の中央の開口並びに注水パイプ１８内を連通して、上蓋１７の上方より内容器内に液体を供給することができる。
【００１６】
また、液体の供給が終了すれば、操作レバー１９を逆方向に操作して、開閉板２１を逆方向に移動し閉鎖する。これにより上蓋１７の中央の開口とガイド板２０の液体路とが確実に遮蔽され、液体の供給を阻止することができる。この蓋体５は、螺着したままで内容器内に液体を供給する構造としたが、特にこれに限定されるものではなく、通常の着脱式の栓構造であっても何ら支障をきたすものではない。
【００１７】
内容器２を支える底板６は、中央のヒータ３より離れた内周壁にて開口し、この内周壁を形成する壁に上方に突出した環状の支柱を設け、外周壁を外装体４の下部内周壁に複数設けた係止片に係止している。
【００１８】
この底板６を外装体４の係止片に係止して、内容器２を支柱にて支えた後に、この底板６と外装体４と内容器２との空所１４に発泡ウレタンを充填して、保温性、耐久性を向上し、しかも外装体４に係止する底板６の固定を確かなものとしている。
【００１９】
遮蔽板７は、ステンレス等の金属材料にて薄板で中央開口のほぼ円盤状に形成しており、底板６にビス止めされて、ヒータ３の熱が下方に向けて放熱しないようにしている。この遮蔽板７は、ドレン排出台３２を固定している。
【００２０】
底カバー体８は、合成樹脂材料にて形成しており、遮蔽板７と上下に間隔を隔てて外装体４の下部前面を除いて外装体下端面を覆っている。この底カバー体８と遮蔽板７との間に温度ヒューズや電子回路を備えた基板等を配置するようにしている。
この底カバー体８は、後述の台座９と一体形成しても何ら支障をきたすものではない。
【００２１】
台座９は、合成樹脂材料にて形成しており、底カバー体８の外周端に装着して、外装体４下部前方との間に空間部２９を備えている。３０は液体を受けるコップである。
ジョイントパイプ１０は、ゴム等の弾性材料にてＬ字型の中空パイプであって、上方を内容器２の下端開口に内側より嵌め込まれて連通している。
【００２２】
吐出機構１１は、ジョイントパイプ１０に連通する液通路を備えたユニットパイプ３１と、ユニットパイプ３１内で液通路を閉鎖、開放する弁体と、弁体を外部前面より操作するレバー３３と、レバー３３を摺動する摺動板３４と、弁体を復帰するスプリングと、液通路と連通し液体を外部へ吐出する吐出パイプ３５と、摺動板３４を操作するタッチ板３７と、タッチ板３７の駆動を摺動板３４に伝える操作軸３８とから構成されている。
【００２３】
タッチ板３７は、後述の前カバー１３の上方にあって押圧自在とし、内壁側にタッチ板復帰用のバネを設けている。
操作軸３８は、一本の金属製棒状体からなっており、摺動板３４に当接する底体と、底体の左右両側より上方に延びた左、右垂直体と、左、右垂直体のそれぞれが相対して向き合った左、右係体とを一体成形し、この左、右垂直体がタッチ板３７に係止されている。
吐出機構１１のユニットパイプ３１及び摺動板３４とは、図２に示すように、後述の前カバー１３の内側に突出した保持板３６に固定されている。
【００２４】
この吐出機構１１は、タッチ板３７に指を掛け、タッチ板３７を下方に押圧すると、タッチ板３７に連動した操作軸３８を降下する。この操作軸３８の降下により摺動板３４を介してレバー３３を後方に押圧する。このレバー３３の押圧によりユニットパイプ３１内の弁体を後方に押圧して、ユニットパイプ３１内の液通路と吐出パイプ３５とを連通し、内容器２内の液体を吐出パイプ３５先端より吐出することとなる。
【００２５】
又、タッチ板３７に掛けた指を離すと、タッチ板３７に設けたバネにより、タッチ板３７が元の位置に復帰し、同時に操作軸３８も上昇復帰する。この操作軸３８の上昇により摺動板３４を介してレバー３３を復帰の状態とする。更に、ユニットパイプ３１内の弁体をスプリングを介して前方に復帰させ、液通路と吐出パイプ３５との連通を閉鎖し液体の吐出を阻止する。
【００２６】
液量表示機構１２は、後述の前カバー１３前方の透視窓４４より目視でき、内容器内の液量を液面２３で示す液量パイプ３９と、液量パイプ３９の後側を覆うカバー部材２４と、一端を液量パイプ３９の下端に連通し、他端をユニットパイプ３１の液通路と連通する下部ジョイントパイプ４１と、一端を液量パイプ３９の上端に連通し、他端を内容器２の上端開口の高さ位置近くまで延ばして自由端とした上部ジョイントパイプ４０とからなっている。
【００２７】
この液量パイプ３９に連通した下部ジョイントパイプ４１の他端は、ユニットパイプ３１内の弁体摺動部分よりも後方でジョイントパイプ１０内に嵌合されるユニットパイプ３１の後方よりも前方の液通路と連通している。
【００２８】
液量表示機構１２のカバー部材２４は、図３に示すように、液量パイプ３９の後側にあって、目視の際に、液量パイプ３９の後方に存在する吐出機構１１の操作軸３８等が目に入らないよう液量パイプ３９の長手方向に沿って横断面半円弧状に形成されている。カバー部材２４は、液量パイプ３９と相対する面、即ち横断面半円弧状の内側面を鏡面２５としている。
【００２９】
勿論、このカバー部材２４の内側面のみを鏡とするのではなく、鋼板を鏡のように光らせたミラー鋼板にて全面を形成してもよい。
２６は、カバー部材２４を後述の前カバー１３に取り付けるために延ばした折り曲げ自在な取付片である。
【００３０】
カバー部材２４に鏡面２５を設けることによって、従来のように液量パイプ３９の液面２３に当たる光が四方へ拡散してしまい、目視する人にはその液面２３が見分け難くなるのではなく、液面２３に当たる光が鏡面２５に当たって反射し、しかも半円弧状の内側面であり光が集中するために、目視する人にはその液面２３を鮮明に見分けることができるのである。
【００３１】
外装体４の前方を覆う前カバー１３は、図２に示すように、上部ジョイントパイプ４０を支える上部突起片、下部ジョイントパイプ４１を支える下部突起片、吐出機構１１のユニットパイプ３１及び摺動板３４とを固定する保持板３６、下部内側の左右に設けた嵌合部を一体成形している。
４４は、液量パイプ３９を目視するために切り欠いた透視窓である。
【００３２】
この前カバー１３は、外装体４の前方に固着して設けているが、外装体４の前方に対して着脱自在に装着するようにしてもよく、又、この前カバー１３を着脱自在とすると共に吐出機構１１及び液量表示機構１２を着脱自在に装着することもできる。
【００３３】
以上本発明の代表的と思われる実施例について説明したが、本発明は必ずしもこれら実施例構造のみに限定されるものではなく、液量パイプとその後側を覆うカバー部材とを備えた構造の液量表示機構を有する電気ポット、携帯用大型保温容器、又は魔法瓶等のように本発明にいう前記の構成要件を備え、かつ、本発明にいう目的を達成し、本発明にいう効果を有する範囲内において適宜改変して実施することができるものである。
【図面の簡単な説明】
【００３４】
【図１】本発明実施例の正面図。
【図２】本発明実施例の縦断面図。
【図３】本発明実施例の要部を示す斜視図。
【符号の説明】
【００３５】
１…液体保温容器
２…内容器
４…外装体
５…蓋体
６…底板
７…遮蔽板
８…底カバー体
９…台座
１０…ジョイントパイプ
１１…吐出機構
１２…液量表示機構
１３…前カバー
２３…液面
２４…カバー部材
２５…鏡面
３９…液量パイプ
４４…透視窓
【図１】
2005162284.tif 000003
【図２】
2005162284.tif 000004
【図３】
2005162284.tif 000005